(57)【要約】【課題】パネルのアダプタ取付孔にアダプタ本体を挿入した際に、アダプタ取付孔の開口縁内側とアダプタ本体の側面との間に発生した隙間に起因するガタの発生を効果的に防止する。【解決手段】アダプタ本体１の外側面部がパネルＰのアダプタ取付孔Ｑの開口縁内側に押接するよう形成してなるラッチレバー３と、該ラッチレバー３に対向すべく外側面部中央から外方に突設してなる係止フランジ２と、該係止フランジ２と前記ラッチレバー３との間における外側面部に形成された突起６とを備え、前記係止フランジ２とラッチレバー３との間に前記パネルＰのアダプタ取付孔Ｑの開口縁部を挟んで固定すると共に、前記突起６は少なくとも先端の一部が圧潰されてアダプタ取付孔Ｑの開口縁内側に圧接するよう形成する。【選択図】図１
2019082588.tif 000002
【特許請求の範囲】
【請求項１】
アダプタ本体の外側面部がパネルの前記アダプタ取付孔の開口縁内側に押接するよう形成されたラッチレバーと、該ラッチレバーに対向すべく外側面部中央から外方に突設してなる係止フランジと、該係止フランジと前記ラッチレバーとの間における外側面部に形成された突起とを備え、前記アダプタ本体は、前記ラッチレバーを押圧しながら前記パネルのアダプタ取付孔に挿入され、前記係止フランジとラッチレバーとの間に当該アダプタ取付孔の開口縁部を挟んで固定すると共に、前記突起は少なくとも先端の一部が圧潰されて前記パネルのアダプタ取付孔の開口縁内側に圧接するよう形成したことを特徴とする光コネクタ用アダプタのガタ止め機構。
【請求項２】
前記ラッチレバーは、前記アダプタ本体の外側面部が前記パネルのアダプタ取付孔の開口縁内側に押接するよう斜め外方向に切り起こし折曲して形成されていることを特徴とする前記請求項１記載の光コネクタ用アダプタのガタ止め機構。
【請求項３】
前記突起は、アダプタ本体の外側面部の上下両面または左右両面に、当該突起のサイズに応じて１個もしくは複数個が設けられてなることを特徴とする請求項１記載の光コネクタ用アダプタのガタ止め機構。
【請求項４】
前記突起は、平面視で略丸形、多角形、楕円形のいずれかの形状を呈してなることを特徴とする請求項１または３記載の光コネクタ用アダプタのガタ止め機構。
【請求項５】
前記突起は、前記パネルのアダプタ取付孔の開口縁に対して僅かに大きいかもしくは略同じ高さを有してなることを特徴とする請求項１、請求項３または請求項４の何れかに記載の光コネクタ用アダプタのガタ止め機構。
【発明の詳細な説明】
【技術分野】
【０００１】
本発明は、光コネクタプラグの高密度実装において、パネルのアダプタ取付孔に対する光コネクタ用アダプタのガタ止め機構に関する。
【背景技術】
【０００２】
従来、光コネクタプラグの高密度実装における光コネクタ用の例えばＭＰＯのアダプタ本体１００をパネルのアダプタ取付孔に取り付ける場合、図１６乃至図２０に示すように、該アダプタ本体１００の一方の挿入用開口端１０１ａ側の上下左右の各対称部位に切り起こし状の爪片によるラッチレバー１０３を設けたスナップイン方式を採っている。
【０００３】
すなわち、アダプタ本体１００の具体的な構成としては、図１６乃至図２０に示すように、ＭＰＯ型コネクタプラグのフェルールの光ファイバテープ心線を相互接続できるように、当該アダプタ本体１００の両端に、光学軸が一致するようにして、一方の挿入用開口端１０１ａと、他方の挿入用開口端１０１ｂとをそれぞれ備え、両挿入用開口端１０１ａ、１０１ｂそれぞれの内側には、挿着されたＭＰＯ型コネクタプラグを係止するための、先端に鉤状の爪部を備えた左右方向へ撓曲自在なレバー片１０４を対向配置させてある。
【０００４】
また、アダプタ本体１００の上下側壁は、その各中間部に係止フランジ１０２が形成され、該係止フランジ１０２と一方の挿入用開口端１０１ａとの間に前記したパネル保持用のラッチレバー１０３が設けられている。前記係止フランジ１０２は、パネルのアダプタ取付孔の後面において当該パネルに係止されると同時に前記ラッチレバー１０３によってパネルのアダプタ取付孔の前面に係止保持される。
【０００５】
さらに、前記両挿入用開口端１０１ａ、１０１ｂそれぞれの上下いずれかの内側壁中央には、ＭＰＯ型コネクタプラグ挿入時のガイドおよび安定保持のために、当該ＭＰＯ型コネクタプラグに設けられたキー突起（図示せず）を嵌合させるよう光軸方向に沿って直線溝条となったキー溝１０５が形成されている。
【０００６】
ところで、このようなスナップイン方式によると、パネルのアダプタ取付孔とアダプタ本体１００との間に若干のクリアランスが生じるため、パネルを動かすとアダプタ本体１００が上下左右方向にガタが生じる。
【０００７】
このようなガタ付きを未然に防止するため、従来では、特許文献１に示すように、光コネクタ用のアダプタ本体に形成した取付孔に挿入し、該取付孔内側で折り込みあるいは圧入により固定可能となるよう形成した複数の爪脚部と、中央面が若干隆起してなる係止面とを有する係止バネを備えたガタ止め機構が提案されている。ここにおいて、前記係止バネは、その係止面がアダプタ本体の上側壁に向けて順次圧潰しながらパネルにおけるアダプタ取付部に嵌着保持するものとされている。
【先行技術文献】
【特許文献】
【０００８】
【特許文献１】特開２００９−２３００３３号公報
【発明の概要】
【発明が解決しようとする課題】
【０００９】
しかしながら、上記した特許文献１においては、上記係止バネはアダプタ本体とは別部材であるため、アダプタ本体の上側壁に係止バネ固定用の取付孔を形成するなどアダプタ本体自体の構造が複雑となり、製造コストも高くなる。しかも、光コネクタプラグの高密度実装における狭小スペース、例えば係止バネが付けられないスペースでは係止バネとしての本来の機能を十分に発揮することができない。
【００１０】
そこで、本発明は、叙上のような従来存した諸事情に鑑み案出されたもので、アダプタ本体のガタ止めを別部材によらずに、当該アダプタ本体と一体構造によるものとすることで、簡易な構成で確実にガタ止め機能を発揮できる光コネクタ用アダプタのガタ止め機構を提供することを目的とする。
【課題を解決するための手段】
【００１１】
上述した課題を解決するために、本発明にあっては、アダプタ本体の外側面部がパネルの前記アダプタ取付孔の開口縁内側に押接するよう形成されたラッチレバーと、該ラッチレバーに対向すべく外側面部中央から外方に突設してなる係止フランジと、該係止フランジと前記ラッチレバーとの間における外側面部に形成された突起とを備え、前記アダプタ本体は、前記ラッチレバーを押圧しながら前記パネルのアダプタ取付孔に挿入され、前記係止フランジとラッチレバーとの間に当該アダプタ取付孔の開口縁部を挟んで固定すると共に、前記突起は少なくとも先端の一部が圧潰されて前記パネルのアダプタ取付孔の開口縁内側に圧接するよう形成したことを特徴とする。
【００１２】
前記ラッチレバーは、前記アダプタ本体の外側面部が前記パネルのアダプタ取付孔の開口縁内側に押接するよう斜め外方向に切り起こし折曲して形成されていることを特徴とする。
【００１３】
前記突起は、アダプタ本体の外側面部の上下両面または左右両面に、当該突起のサイズに応じて１個もしくは複数個が設けられてなることを特徴とする。
【００１４】
前記突起は、平面視で略丸形、多角形、楕円形のいずれかの形状を呈してなることを特徴とする。
【００１５】
前記突起は、前記パネルのアダプタ取付孔の開口縁に対して僅かに大きいかもしくは略同じ高さを有してなることを特徴とする。
【発明の効果】
【００１６】
本発明によれば、アダプタ本体のガタ止めを別部材によらずに、当該アダプタ本体と一体構造によるものとすることで、簡易な構成で確実にガタ止め機能を発揮できる光コネクタ用アダプタのガタ止め機構を安価に提供することができる。
【００１７】
すなわち、本発明は、アダプタ本体の外側面部がパネルのアダプタ取付孔の開口縁内側に押接するよう形成されたラッチレバーと、該ラッチレバーに対向すべく外側面部中央から外方に突設してなる係止フランジと、該係止フランジと前記ラッチレバーとの間における外側面部に形成された突起とを備え、前記アダプタ本体は、前記ラッチレバーを押圧しながら前記パネルのアダプタ取付孔に挿入され、前記係止フランジとラッチレバーとの間に当該アダプタ取付孔の開口縁部を挟んで固定すると共に、前記突起は少なくとも先端の一部が圧潰されて前記パネルのアダプタ取付孔の開口縁内側に圧接するよう形成したので、前記パネルのアダプタ取付孔にアダプタ本体を挿入した際に、当該アダプタ取付孔の開口縁内側とアダプタ本体の側面との間に発生した隙間（クリアランス）に起因するガタの発生を前記突起によって効果的に防止することができる。
【００１８】
前記ラッチレバーは、前記アダプタ本体の外側面部が前記パネルのアダプタ取付孔の開口縁内側に押接するよう斜め外方向に切り起こし折曲して形成されているので、前記アダプタ本体と同一部材で一体構造となっている分、堅牢性に優れていると共に、ガタの発生防止に一層効果的である。
【００１９】
前記突起は、アダプタ本体の外側面部の上下両面または左右両面に、当該突起のサイズに応じて１個もしくは複数個が設けられてなるので、アダプタ取付孔の開口縁内側とアダプタ本体の外側面との間に発生した隙間に起因するガタの発生を、前記突起の個数とサイズとのバランスによって挿入時の嵌合摩擦抵抗を極力抑えつつ効果的に防止することができる。
【００２０】
前記突起は、平面視で略丸形、多角形、楕円形のいずれかの形状を呈してなるので、接触の可能性がある箇所については潰れ易い形状となり、これによってガタの発生を確実に防止することができる。
【００２１】
前記突起は、前記パネルのアダプタ取付孔の開口縁に対して僅かに大きいかもしくは略同じ高さを有してなるので、パネルをスライドさせてアダプタ本体側のラッチレバーを超えて嵌め込む際に、前記突起がアダプタ取付孔の開口縁部で擦られることで潰れて、前記パネルの取付孔に合わせた形状に確実にフィットさせることができる。
【図面の簡単な説明】
【００２２】
【図１】本発明の実施の一形態を示すアダプタ本体の斜視図である。
【図２】同じくアダプタ本体の側面図である。
【図３】同じくアダプタ本体の平面図である。
【図４】同じくアダプタ本体の正面図である。
【図５】同じくアダプタ本体の背面図である。
【図６】アダプタ本体の他例を示す斜視図である
【図７】同じくアダプタ本体の他例を示す側面図である。
【図８】同じくアダプタ本体の他例を示す平面図である。
【図９】同じくアダプタ本体の他例を示す正面図である。
【図１０】アダプタ本体をパネルのアダプタ取付孔に取付けた状態の平面図である。
【図１１】同じくアダプタ本体をパネルのアダプタ取付孔に取付けた状態の側面図である。
【図１２】同じくアダプタ本体をパネルのアダプタ取付孔に取付けた状態の斜視図である。
【図１３】同じくアダプタ本体をパネルのアダプタ取付孔に取付けた状態の正面図である。
【図１４】図１３におけるＡ−Ａ断面図である。
【図１５】アダプタ本体をパネルのアダプタ取付孔に取付けた際の突起の状態を説明する要部の拡大断面図である。
【図１６】従来例におけるアダプタ本体を示す斜視図である。
【図１７】同じく従来例におけるアダプタ本体の側面図である。
【図１８】同じく従来例におけるアダプタ本体の平面図である。
【図１９】同じく従来例におけるアダプタ本体の正面図である。
【図２０】同じく従来例におけるアダプタ本体の背面図である。
【発明を実施するための形態】
【００２３】
以下、図面を参照して本発明に係る光コネクタ用アダプタのガタ止め機構の実施の一形態をＭＰＯ用のアダプタ本体１に適用した場合について詳細に説明する。尚、アダプタ本体１は、単心あるいは多連でも良く、またアダプタ本体１の種類もＭＰＯアダプタだけでなく、例えばＳＣ、ＬＣ、ＭＵ等の各他種のアダプタにも本発明が適用可能であることは勿論である。
【００２４】
本発明に係るアダプタ本体１は、図１乃至図５に示すように、例えば合成樹脂の成型品によって角筒状に形成されており、不図示のＭＰＯ型コネクタプラグのフェルールの光ファイバテープ心線を相互接続できるように、当該アダプタ本体１の両端に、光学軸が一致するようにして、一方の挿入用開口端１ａと、他方の挿入用開口端１ｂとをそれぞれ備え、両挿入用開口端１ａ、１ｂそれぞれの左右内壁面には、挿着されたＭＰＯ型コネクタプラグ（図示せず）を係止するための、先端に鉤状の爪部を備えた左右方向へ撓曲自在なレバー片４を対向配置させてある。
【００２５】
また、前記アダプタ本体１の上下外側面は、その各中間部から外方に突設してなる矩形状の係止フランジ２が形成され、該係止フランジ２と一方の挿入用開口端１ａとの間には、アダプタ本体１の外側面部がパネルＰのアダプタ取付孔Ｑの開口縁内側に押接するよう左右一対のパネル保持用のラッチレバー３が形成されている。前記係止フランジ２は、前記パネルＰのアダプタ取付孔Ｑ（図１２乃至図１５参照）の後面において当該パネルＰに係止されると同時に、前記ラッチレバー３によってパネルＰのアダプタ取付孔Ｑの前面に係止保持される。
【００２６】
前記実施形態では、パネル保持用のラッチレバー３は、前記アダプタ本体１の外側面部の上下左右の両面を斜め外方向に各々切り起こし折曲することで当該アダプタ本体１と一体に形成されているが、本発明はこのような構造に限定されるものではなく、例えば必要な個数（本例では４個）の前記ラッチレバー３を別個に製作し、これらを前記アダプタ本体１の外側面部の当該部位に溶着、接着などの固定手段を使って一体に形成することもできる。
【００２７】
また、前記した左右一対のラッチレバー３と、前記係止フランジ２との間における上下外側面部、すなわち、パネルＰのアダプタ取付孔Ｑの開口縁内側が係合するアダプタ本体１の上下側外壁面には、例えば平面視略丸形を呈する突起６を備えている。この突起６は、前記アダプタ本体１の上下両面に１個ずつ、あるいは２個ずつ（図１乃至図４参照）等複数個設けることもできる。この場合、これら突起６は、前記パネルＰのアダプタ取付孔Ｑの開口縁に対して僅かに大きいかもしくは略同じ高さを有しており、当該パネルＰをスライドさせてアダプタ本体１側のラッチレバー３を超えて嵌め込んだ際に、前記突起６がアダプタ取付孔Ｑの開口縁部で擦られることで潰れて、前記パネルＰのアダプタ取付孔Ｑに略合わせた形状にフィットさせるものとしてある。尚、前記パネルＰのアダプタ取付孔Ｑの内縁部がフラットではなく微小凹凸があれば、よりいっそうのフィット効果が期待される。
【００２８】
而して、前記アダプタ本体１が前記ラッチレバー３を押圧しながらアダプタ取付孔Ｑ（アダプタ本体１に対しパネルＰが大きな抵抗なく挿入できる大きさ）に挿入された際には、前記係止フランジ２とラッチレバー３との間にアダプタ取付孔Ｑの開口縁部を挟んで固定すると同時に、前記突起６は少なくとも先端の一部が圧潰されてアダプタ取付孔Ｑの開口縁内側に圧接する。このようにパネルＰの嵌合時にアダプタ取付孔Ｑのサイズに合わせて潰れることで両部材の接触面の摩擦抵抗が増え前記アダプタ本体１の上下左右方向のガタ付を防止する構造としている。
【００２９】
さらに、前記両挿入用開口端１ａ、１ｂそれぞれの上下いずれかの側壁中央には、ＭＰＯ型コネクタプラグ挿入時のガイドおよび安定保持のために、当該ＭＰＯ型コネクタプラグに設けられたキー突起（図示せず）を嵌合させるよう光軸方向に沿って直線溝条となったキー溝５が形成されている。
【００３０】
尚、前記突起６は、アダプタ本体１の左右外側面部に、当該突起６のサイズに応じて１個もしくは複数個ずつ設けても良い。また、前記突起６は、図示のように平面視略丸形が好適であるが、必ずしもこれに限られるものではなく、例えば平面視で略多角形、楕円形のいずれかの形状を呈していても良い。
【００３１】
次に、図６乃至図９に基づき、アダプタ本体１の他例について説明する。
本例では、本件出願人によって先に出願された特開２０１１−１３３６１１号公報に開示されている略コ字枠状のガタ止め具１１（前記公開公報では「１」）が、ＳＣ型コネクタプラグ挿入用のアダプタ本体１の上壁面から左右両側面にかけて略コ字状の扁平な溝となって凹設された係合部１２に装着して使用される。
【００３２】
尚、前記係合部１２は、前記アダプタ本体１の左右外側面の略中央に互いに外向きとなって突設された係止フランジ１３を介して前後一対となって形成されており、パネルＰのアダプタ取付孔Ｑへの挿入方向に対応して、これら係合部１２のうちいずれか一方にガタ止め具１１が装着される。
【００３３】
前記ガタ止め具１１は、図６、図７、及び図８に示すように、アダプタ本体１の略中央側面に突設された係止フランジ１３に対向すべくコ字枠の両端側面部１４の中央から斜め外方向に切り起こしてなる係止片部１５とを備えてなる。
【００３４】
また、前記係止片部１５と係止フランジ１３との間にパネルＰのアダプタ取付孔Ｑの開口縁部を挟んで固定する際に、少なくとも先端の一部が圧潰されて前記アダプタ取付孔Ｑの開口縁内側に圧接する外側壁面の上下対称位置に例えば平面視略丸形を呈する突起１６を備えている。
【００３５】
そして、前記アダプタ本体１は、前記ガタ止め具１１の係止片部１５を押圧しながらパネルＰのアダプタ取付孔Ｑに挿入され、前記係止フランジ１３と係止片部１５との間にアダプタ取付孔Ｑの開口縁部を挟んで固定すると共に、前記突起１６は上記の第１の実施形態と同様に圧潰されて前記アダプタ取付孔Ｑの開口縁内側に圧接するよう形成されている。
【００３６】
図９に示すように、前記アダプタ本体１の中央部に配される左右一対の接合端壁の一方には、中心部分に円筒部２０が嵌合端に向かって突設してあると共に、他方の接合端壁には、前記同様中心部分に円筒が接続端に向かって突設してあり、両円筒部２０が光学軸上で中心軸を一致させつつ接合端壁同士を係合固定することによってスリーブホルダー１７が形成される。このとき、前記スリーブホルダー１７内側に円筒状の割りスリーブ１７ａが装着され保持されている。
【００３７】
また、両挿入用開口端１ａ、１ｂそれぞれの左右内壁面には、挿着されたＳＣ型コネクタプラグ（図示せず）を係止するための、先端に鉤状の爪部を備えた左右方向へ撓曲自在なレバー片１８が、上記スリーブホルダー１７及び円筒部２０を囲むようにして対向配置させてある。
【００３８】
なお、図中、符号１９は、ＳＣ型コネクタプラグ挿入時のガイドおよび安定保持のために、当該プラグに設けられたキー突起（図示せず）を嵌合させるよう光軸方向に沿って直線条に切欠されたキー溝である。
【００３９】
次に、以上のように構成された形態についての使用の一例について、図１０乃至図１５に基づき説明する。
【００４０】
先ず、図１０、図１１、及び図１２に示すように、パネルＰのアダプタ取付孔Ｑにアダプタ本体１の一方の挿入用開口端１ａをあてがって、パネルＰをスライドさせ、アダプタ本体１側のラッチレバー３を超えて嵌め込む。
【００４１】
このとき、図１３、図１４、及び図１５に示すように、パネルＰをスライドさせてアダプタ本体１側のラッチレバー３を超えて嵌め込んだ際に、前記突起６（１６）がアダプタ取付孔Ｑの開口縁部で擦られることで潰れ、前記パネルＰのアダプタ取付孔Ｑに略合わせた形状にフィットした状態となって、当該アダプタ取付孔Ｑの開口縁内側に圧接する。このようにパネル嵌合時にアダプタ取付孔Ｑのサイズに合わせて潰れることで両部材の接触面の抵抗が増えガタ付が有効に防止される。
【符号の説明】
【００４２】
Ｐ        パネル
Ｑ        アダプタ取付孔
１        アダプタ本体
１ａ      一方の挿入用開口端
１ｂ      他方の挿入用開口端
２        係止フランジ
３        ラッチレバー
４        レバー片
５        キー溝
６        突起
１１      ガタ止め具
１２      係合部
１３      係止フランジ
１４      両端側面部
１５      係止片部
１６      突起
１７      スリーブホルダー
１７ａ    割りスリーブ
１８      レバー片
１９      キー溝
２０      円筒部
１００    アダプタ本体
１０１ａ  一方の挿入用開口端
１０１ｂ  他方の挿入用開口端
１０２    係止フランジ
１０３    ラッチレバー
１０４    レバー片
１０５    キー溝
【図１】
2019082588.tif 000003
【図２】
2019082588.tif 000004
【図３】
2019082588.tif 000005
【図４】
2019082588.tif 000006
【図５】
2019082588.tif 000007
【図６】
2019082588.tif 000008
【図７】
2019082588.tif 000009
【図８】
2019082588.tif 000010
【図９】
2019082588.tif 000011
【図１０】
2019082588.tif 000012
【図１１】
2019082588.tif 000013
【図１２】
2019082588.tif 000014
【図１３】
2019082588.tif 000015
【図１４】
2019082588.tif 000016
【図１５】
2019082588.tif 000017
【図１６】
2019082588.tif 000018
【図１７】
2019082588.tif 000019
【図１８】
2019082588.tif 000020
【図１９】
2019082588.tif 000021
【図２０】
2019082588.tif 000022